(57)【要約】【課題】  印刷の部門管理を行い、各人の印刷上限値を設定しているオフィス環境において、一般の管理権限で、他人にクォータ（利用可能な印刷装置使用量）を譲渡することの可能な印刷システムを提供すること。【解決手段】  印刷装置利用ユーザの情報、各ユーザのクォータを登録してユーザとユーザの印刷装置使用量を管理するユーザ管理手段を備え、第一のユーザの情報、第二のユーザの情報、クォータを外部から受信する情報受信手段を備え、前記手段を用いて受信した、第一のユーザの情報と印刷装置に登録されているユーザ情報を用いてユーザの認証を行うユーザ認証手段を備え、前記手段を用いて、第一のユーザが正規のユーザであると認証された場合に、指定されたクォータを、第一のユーザのクォータから、第二のユーザのクォータへ移すクォータ移動手段を備えることを特徴とする印刷システム。【選択図】        図１
2007018056.tif 000002
【特許請求の範囲】
【請求項１】
印刷装置利用ユーザの情報、各ユーザの利用可能な印刷装置使用量を登録してユーザとユーザの印刷装置使用量を管理するユーザ管理手段を備え、
第一のユーザの情報、第二のユーザの情報、利用可能な印刷装置使用量を外部から受信する情報受信手段を備え、
前記手段を用いて受信した、第一のユーザの情報と印刷装置に登録されているユーザ情報を用いてユーザの認証を行うユーザ認証手段を備え、
前記手段を用いて、第一のユーザが正規のユーザであると認証された場合に、指定された利用可能な印刷装置使用量を、第一のユーザの利用可能な印刷装置使用量から、第二のユーザの利用可能な印刷装置使用量へ移す利用可能な印刷装置使用量移動手段を備えることを特徴とする印刷システム。
【請求項２】
印刷装置利用ユーザの情報、各ユーザの利用可能な印刷装置使用量を登録してユーザとユーザの印刷装置使用量を管理するユーザ管理手段を備え、
第一のユーザの情報、第二のユーザの情報、利用可能な印刷装置使用量を外部から受信する情報受信手段を備え、
前記手段を用いて受信した、第一のユーザの情報と印刷装置に登録されているユーザ情報を用いてユーザの認証を行うユーザ認証手段を備え、
前記手段を用いて、第一のユーザが正規のユーザであると認証された場合に、第二のユーザを新規ユーザとして印刷装置に登録し、指定された利用可能な印刷装置使用量を、第一のユーザの利用可能な印刷装置使用量から第二のユーザへ割り当てる新規ユーザ登録手段を備えることを特徴とする印刷システム。
【請求項３】
印刷装置利用ユーザの情報、各ユーザの利用可能な印刷装置使用量を登録してユーザとユーザの印刷装置使用量を管理するユーザ管理ステップを備え、
第一のユーザの情報、第二のユーザの情報、利用可能な印刷装置使用量を外部から受信する情報受信ステップを備え、
前記ステップを用いて受信した、第一のユーザの情報と印刷装置に登録されているユーザ情報を用いてユーザの認証を行うユーザ認証ステップを備え、
前記ステップを用いて、第一のユーザが正規のユーザであると認証された場合に、指定された利用可能な印刷装置使用量を、第一のユーザの利用可能な印刷装置使用量から、第二のユーザの利用可能な印刷装置使用量へ移す利用可能な印刷装置使用量移動ステップを備えることを特徴とする印刷システム制御方法。
【請求項４】
印刷装置利用ユーザの情報、各ユーザの利用可能な印刷装置使用量を登録してユーザとユーザの印刷装置使用量を管理するユーザ管理ステップを備え、
第一のユーザの情報、第二のユーザの情報、利用可能な印刷装置使用量を外部から受信する情報受信ステップを備え、
前記ステップを用いて受信した、第一のユーザの情報と印刷装置に登録されているユーザ情報を用いてユーザの認証を行うユーザ認証ステップを備え、
前記ステップを用いて、第一のユーザが正規のユーザであると認証された場合に、第二のユーザを新規ユーザとして印刷装置に登録し、指定された利用可能な印刷装置使用量を、第一のユーザの利用可能な印刷装置使用量から第二のユーザへ割り当てる新規ユーザ登録ステップを備えることを特徴とする印刷システム制御方法。
【請求項５】
印刷装置利用ユーザの情報、各ユーザの利用可能な印刷装置使用量を登録してユーザとユーザの印刷装置使用量を管理するユーザ管理機能と、
第一のユーザの情報、第二のユーザの情報、利用可能な印刷装置使用量を外部から受信する情報受信機能と、
前記機能を用いて受信した、第一のユーザの情報と印刷装置に登録されているユーザ情報を用いてユーザの認証を行うユーザ認証機能と、
前記機能を用いて、第一のユーザが正規のユーザであると認証された場合に、指定された利用可能な印刷装置使用量を、第一のユーザの利用可能な印刷装置使用量から、第二のユーザの利用可能な印刷装置使用量へ移す利用可能な印刷装置使用量移動機能を実現するプログラムを格納したコンピュータ可読の記録媒体。
【請求項６】
印刷装置利用ユーザの情報、各ユーザの利用可能な印刷装置使用量を登録してユーザとユーザの印刷装置使用量を管理するユーザ管理機能と、
第一のユーザの情報、第二のユーザの情報、利用可能な印刷装置使用量を外部から受信する情報受信機能と、
前記機能を用いて受信した、第一のユーザの情報と印刷装置に登録されているユーザ情報を用いてユーザの認証を行うユーザ認証機能と、
前記機能を用いて、第一のユーザが正規のユーザであると認証された場合に、第二のユーザを新規ユーザとして印刷装置に登録し、指定された利用可能な印刷装置使用量を、第一のユーザの利用可能な印刷装置使用量から第二のユーザへ割り当てる新規ユーザ登録機能を実現するプログラムを格納したコンピュータ可読の記録媒体。
【発明の詳細な説明】
【技術分野】
【０００１】
本発明は、一般にオフィスなどで利用されるプリンタ、複写機、ＦＡＸ、複合機（マルチファンクションペリフェラル装置）などの印刷装置および、ネットワークに接続された印刷装置、端末からなる印刷システム、その制御方法及びその記録媒体に関する。
【背景技術】
【０００２】
従来のオフィスの環境において使用される印刷装置として、プリンタや複写機、ＦＡＸ、複合機等があげられる。ネットワークに対応したプリンタや複写機は、ＬＡＮ（Ｌｏｃａｌ  Ａｒｅａ  Ｎｅｔｗｏｒｋ）に接続され、ネットワーク上の端末から印刷することが可能である。
【０００３】
一般に、複写機は印刷された枚数だけカウントされ、複写機を管理する会社にカウンタ料金を払う必要があり、経費がかかる。複写機に使用する用紙やトナーなどにも経費がかかる。これら、経費は部門毎に管理されることが一般的であり、複写機も部門毎に管理されることが一般的である。
【０００４】
また、上記の複写機は、ユーザＩＤやパスワードを用いて管理され、利用時にユーザＩＤやパスワードを入力しないと使用できないようにすることが可能である。この仕組みにより、ユーザＩＤ・パスワードを知らない他部門の社員は、当複写機を使用することはできない。
【０００５】
さらに、上記の複写機は、各ユーザに利用可能な印刷装置使用量（以下クォータという）を設定する機能をもつ。クォータは、ユーザが複写機を使用する度に現象し、割り当てられたクォータを全て消費するとユーザはそれ以上複写機を使用できなくなる。オフィス環境においては、部門毎に経費を管理するために、同部門の各社員にプリンタのクォータを割り当て、社員がプリンタ、複写機を割り当てられたクォータを越えて利用できないように制限することができる。クォータは、月毎に再割当てを行うといった運用が考えられる。一般にクォータは、一般のユーザが他のユーザのクォータを不正に操作することを防ぐ為に、複写機の管理者のみが操作することが許される。
【特許文献１】特開２００２−１６９７７９号公報
【発明の開示】
【発明が解決しようとする課題】
【０００６】
しかしながら、上記のような従来の印刷装置では、割り当てられたクォータを全て消費したユーザは、管理者に申し出てクォータを増やしてもらうか、それが叶わない場合はあきらめなければならず、一般のユーザ権限で、他ユーザから余っているクォータを譲り受けるといった運用ができなかった。
【０００７】
さらに、オフィス環境などにおいて、ゲストや新しいスタッフが訪れた場合に、急遽、管理者が複写機に対して新しいユーザの登録とクォータの再割り当てを行う必要があった。部門全体の総クォータ量が決まっており、全てのクォータが既に割り当て済みの環境では、余剰なクォータがないため、再割当てを行うことができない場合もあった。
【０００８】
本発明は、上記のような問題を鑑みてなされたもので、一般のユーザ権限で、ユーザ間の余っているクォータの譲渡や、新しいユーザに対するユーザ登録やクォータの割り当てを行うことのできる自由度の高い印刷システム、その制御方法及びその記録媒体を提供することを目的とする。
【課題を解決するための手段】
【０００９】
前記課題を解決する為、請求項１に係る印刷システムは、印刷装置利用ユーザの情報、各ユーザのクォータ（利用可能な印刷装置使用量）を登録してユーザとユーザの印刷装置使用量を管理するユーザ管理手段を備え、第一のユーザの情報、第二のユーザの情報、クォータ量を外部から受信する情報受信手段を備え、前記手段を用いて受信した、第一のユーザの情報と印刷装置に登録されているユーザ情報を用いてユーザの認証を行うユーザ認証手段を備え、前記手段を用いて、第一のユーザが正規のユーザであると認証された場合に、指定されたクォータ量を、第一のユーザのクォータから、第二のユーザのクォータへ移すクォータ移動手段を備えることを特徴とする。
【００１０】
前記課題を解決する為、請求項２に係る印刷システムは、印刷装置利用ユーザの情報、各ユーザのクォータ（利用可能な印刷装置使用量）を登録してユーザとユーザの印刷装置使用量を管理するユーザ管理手段を備え、第一のユーザの情報、第二のユーザの情報、クォータ量を外部から受信する情報受信手段を備え、前記手段を用いて受信した、第一のユーザの情報と印刷装置に登録されているユーザ情報を用いてユーザの認証を行うユーザ認証手段を備え、前記手段を用いて、第一のユーザが正規のユーザであると認証された場合に、第二のユーザを新規ユーザとして印刷装置に登録し、指定されたクォータ量を、第一のユーザのクォータから第二のユーザへ割り当てる新規ユーザ登録手段を備えることを特徴とする。
【発明の効果】
【００１１】
本発明を実施することにより、一般のユーザ権限で、ユーザ間のクォータの譲渡や、新しいユーザに対するユーザ登録やクォータの割り当てを安全に行うことのできる自由度の高い印刷システムを提供することができる。
【発明を実施するための最良の形態】
【００１２】
以下図を参照して本発明の実施例を説明する。実施例には印刷装置としてネットワークに対応した複合機を想定するが、ネットワークに接続されて利用される機器において全て同様であり、複合機に限るものではない。その他の印刷装置としては、プリンタ、ＦＡＸ、複写機、などが考えられる。
【実施例】
【００１３】
[実施例１]
実施例１は、請求項１および請求項２に係る発明の実施例である。
【００１４】
以下に、実施例１の環境について説明する。
【００１５】
図１は、本実施例におけるネットワークの構成図である。図１において、クライアントＰＣ（Ｃ１０１、Ｃ１０２、Ｃ１０３）および複合機（Ｍ１０４）は、ネットワーク（Ｎ１０５）を介して相互に通信可能とする。ネットワーク（Ｎ１０５）にはＬＡＮ（Ｌｏｃａｌ  Ａｒｅａ  Ｎｅｔｗｏｒｋ）を想定する。
【００１６】
複合機（Ｍ１０４）は、プリンタ、複写機（コピー機）、スキャナの機能を持ち合わせ、ネットワーク上のクライアントＰＣからプリンタとしても使用可能である。
【００１７】
図２は、クライアントＰＣ（Ｃ１０１）の概略構成を表すブロック図である。なお、クライアントＰＣ、Ｃ１０２、Ｃ１０３の構成も同様である。
【００１８】
クライアントＰＣは、ＣＰＵ（Ｃ２０１）、ＲＯＭ（Ｃ２０２）、外部メモリ（Ｃ２０３）、キーボード（Ｃ２０４）、通信部（Ｃ２０５）、ＲＡＭ（Ｃ２０６）、ＨＤ（ハードディスク）（Ｃ２０７）、ディスプレイ（Ｃ２０８）、システムバス（Ｂ２０９）を備えている。
【００１９】
ＣＰＵ（Ｃ２０１）はシステムバス（Ｂ２０９）に接続された各デバイスを統括的に制御する中央処理装置である。ＣＰＵ（Ｃ２０１）は、ＨＤ（Ｃ２０７）に格納されているアプリケーションプログラム、プリンタドライバ、ＯＳ、ネットワークプリンタ制御プログラム、通信プログラムなどを実行し、ＲＡＭ（Ｃ２０６）にプログラムの実行に必要な情報、ファイル等を一時的に格納する制御を行う。ＲＯＭ（Ｃ２０２）には、基本Ｉ／Ｏプログラム等のプログラムを記憶する。外部メモリ（Ｃ２０３）には、ＦＤ（フロッピー（登録商標）ディスク）、ＣＤ−ＲＯＭ、ＣＤ−Ｒ、ＣＤ−ＲＷ、ＤＶＤ、ＨＤ、フラッシュメモリ、不揮発性のメモリカード、磁気テープなどがあり、各種記憶媒体からプログラムやデータを本コンピュータシステムにロードすることができる。
【００２０】
キーボード（Ｃ２０４）は、ユーザからクライアントＰＣに対する入力を指示し、ディスプレイ（Ｃ２０８）は、キーボード（Ｃ２０４）からの入力やアプリケーションプログラムのＧＵＩ（グラフィックユーザインターフェース）の表示などを行う。ユーザは複合機を使用して印刷する際、印刷設定に関するウインドウを開き、複合機の設定や印刷モードの選択を含むプリンタドライバに対する印刷処理方法の設定を行うことができるようになっている。通信部は、ＮＩＣなどを備え、ネットワークを介して他のクライアントＰＣや複合機（Ｍ１０４）と通信を行う。
【００２１】
図３は、複合機（Ｍ１０４）の概略構成を表すブロック図である。複合機（Ｍ１０４）は、ＣＰＵ（Ｃ３０１）、ＲＯＭ（Ｃ３０２）、ＲＡＭ（Ｃ３０３）、ＨＤ（Ｃ３０４）、通信部（Ｃ３０５）、印刷部（Ｃ３０６）、スキャナ部（Ｃ３０７）、操作パネル（Ｃ３０８）、表示パネル（Ｃ３０９）、システムバス（Ｃ３１０）を備える。
【００２２】
ＣＰＵ（Ｃ３０１）は、システムバス（Ｃ３１０）に接続された各デバイスを統括的に制脚する中央処理装置であり、制御プログラムに基づいて印刷部（Ｃ３０６）（プリンタエンジン）に出力情報としての画像信号を出力する。また、ＣＰＵ（Ｃ３０１）は、制御プログラム基づいてスキャナ部から原稿の読み取りを行い、ＲＡＭ（Ｃ３０３）やＨＤ（Ｃ３０４）にデータを保存する。さらに、ＣＰＵ（Ｃ３０１）は、通信部（Ｃ３０５）を介してクライアントＰＣと通信処理が可能である。
【００２３】
ＲＯＭ（Ｃ３０２）やＨＤ（Ｃ３０７）には、基本Ｉ／Ｏプログラム、複合機制御プログラム、通信プログラム、アプリケーションプログラム、フォントデータ、印刷データ、スキャニングデータ、ユーザ情報、などが格納される。ＲＡＭ（Ｃ３０３）は、入出力情報展開領域、環境データ格納領域、等に用いられる。操作パネル（Ｃ３０８）は、各種操作のためのスイッチなどがあり、環境設定、印刷設定、印刷実行、スキャニング実行等を行うことができる。表示パネル（Ｃ３０８）は、ユーザの入力情報、複合機に設定された情報や、状態等を表示する。通信部（Ｃ３０５）は、ＮＩＣなどを備え、ネットワークを介して他の端末から印刷ジョブや各種設定コマンドの受信や、他の端末へ情報の送信などを行う。
【００２４】
複合機（Ｍ１０４）は、ユーザ管理機能を持ち、複合機を使用するユーザの情報（ユーザＩＤ・パスワード、グループ、アクセス権など）、クォータ等を管理することができる。例えば、複合機（Ｍ１０４）は、内部記録媒体（ＨＤなど）に図４のようなユーザ管理テーブルを持つ。クォータは、ユーザがコピーや印刷を行う毎に、その印刷部数に応じて現象する。例えば、カラー印刷は１枚につきクォータ３を消費し、モノクロ印刷は１枚につきクォータ１を消費する。また、複合機（Ｍ１０４）は、ＳＮＭＰなどの各種プロトコルをサポートし、クライアントＰＣのアプリケーションソフトやプリンタドライバとの通信が可能である。
【００２５】
クライアントＰＣ（Ｃ１０１、Ｃ１０２、Ｃ１０３）は、複合機（Ｍ１０４）に対応したプリンタドライバやユーティリティソフトがインストールされており、複合機への環境設定、複合機からの情報取得などを行うことができる。例えば、ユーティリティソフトは、複合機に対して複合機に設定されているユーザとクォータの情報取得するコマンドを発行し、コマンドを受信した複合機は、ユーザとクォータの情報を返信する。ユーティリティソフトは、取得した情報を図５のようなＧＵＩを用いて表示を行う。これにより、ユーザはユーザ自身や他ユーザの現在のクォータ量を確認することができる。
【００２６】
次に、本発明における請求項１に係る部分の動作を説明する。
【００２７】
ユーザは、クライアントＰＣの図６のようなユーティリティソフトの画面上で、自分のユーザＩＤ、パスワード、譲渡先のユーザＩＤ、譲渡するクォータ量を入力し、ＯＫボタンを押す。ユーティリティソフトは、これの情報から複合機（Ｍ１０４）の解釈可能なクォータ譲渡要求パケットを生成し、複合機（Ｍ１０４）に対して送信する。クォータ譲渡要求パケットを受信した際の複合機の動作を図７のフローチャートを用いて説明する。
【００２８】
複合機（Ｍ１０４）は、ステップＳ７０１においてクォータ譲渡要求パケットを受信することにより動作を開始する。
【００２９】
ステップＳ７０２において、複合機（Ｍ１０４）は、受信したパケットの解析を行い、ユーザの入力した情報（ユーザＩＤ、パスワード、譲渡先ユーザＩＤ、譲渡するクォータ量など）を取得する。
【００３０】
ステップＳ７０３において、複合機（Ｍ１０４）は、内部記録媒体に保存されたユーザ情報を取り出す。
【００３１】
ステップＳ７０４において、複合機（Ｍ１０４）は、ステップＳ７０２で取得したユーザＩＤ・パスワードとステップＳ７０３で取得したユーザ情報を用いてユーザ認証を行う。その結果、正規のユーザであると判定された場合、ステップＳ７０５に進む。認証に失敗した場合は、エラーとなる。
【００３２】
ステップＳ７０５では、取得した譲渡先ユーザＩＤが複合機のユーザ情報に登録されていることを確認する。登録されていると確認された場合にステップＳ７０６に進む。登録されていない場合は、エラーとなる。
【００３３】
ステップＳ７０６では、取得した譲渡するクォータの量が、譲渡元ユーザに割り当てられているクォータ量を上回っていないことを確認する。上回っていないことが確認されるとステップＳ７０７に進む。上回っていた場合、エラーとなる。
【００３４】
ステップＳ７０７では、前ステップで認証されたユーザ（譲渡元ユーザ）の複合機に登録されているクォータから、譲渡するクォータ量分を削減する。
【００３５】
ステップＳ７０８では、譲渡するクォータ量分を譲渡先ユーザのクォータに加算する。
【００３６】
最後にＳ７０９において、上記の処理結果をクライアントＰＣに通知して処理を終了する。
【００３７】
例えば、ユーザｙａｍａｄａが、図６のＧＵＩ画面上で、自分のユーザＩＤ：ｙａｍａｄａ、パスワード：＊＊＊＊＊、譲渡するクォータ：２０、譲渡先のユーザＩＤ：ｓａｔｏｕを入力した場合、図５のユーザ印刷クォータ一覧画面は、図８のように変化する。
【００３８】
次に、本発明における請求項２に係る部分の動作を説明する。
【００３９】
ユーザは、クライアントＰＣの図９のようなユーティリティソフトの画面上で、自分のユーザＩＤ、パスワード、新規に登録するユーザのユーザＩＤ、パスワード、新規ユーザに譲渡するクォータ量を入力し、ＯＫボタンを押す。ユーティリティソフトは、これの情報から複合機（Ｍ１０４）の解釈可能な新規ユーザ登録要求パケットを生成し、複合機（Ｍ１０４）に対して送信する。新規ユーザ登録要求パケットを受信した際の複合機の動作を図１０のフローチャートを用いて説明する。
【００４０】
複合機（Ｍ１０４）は、ステップＳ１００１において新規ユーザ登録要求パケットを受信することにより動作を開始する。
【００４１】
ステップＳ１００２において、複合機（Ｍ１０４）は、受信したパケットの解析を行い、ユーザの入力した情報（ユーザＩＤ、パスワード、新規ユーザのユーザＩＤ、新規ユーザのパスワード、新規ユーザに譲渡するクォータ量など）を取得する。
【００４２】
ステップＳ１００３において、複合機（Ｍ１０４）は、内部記録媒体に保存されたユーザ情報を取り出す。
【００４３】
ステップＳ１００４において、複合機（Ｍ１０４）は、ステップＳ１００２で取得したユーザＩＤ・パスワードとステップＳ１００３で取得したユーザ情報を用いてユーザ認証を行う。その結果、正規のユーザであると判定された場合、ステップＳ１００５に進む。認証に失敗した場合は、エラーとなる。
【００４４】
ステップＳ１００５では、取得した新規ユーザへ譲渡するクォータの量が、譲渡元ユーザに割り当てられているクォータ量を上回っていないことを確認する。上回っていないことが確認されるとステップＳ１００６に進む。上回っていた場合、エラーとなる。
【００４５】
ステップＳ１００６は、取得した新規ユーザのユーザＩＤがユーザ情報に既に登録されてないことを確認する。登録されていないと確認された場合にステップＳ１００７に進む。既に登録済みの場合は、エラーとなる。
【００４６】
ステップＳ１００７では、取得した新規ユーザのユーザＩＤとパスワードをユーザ情報に登録する。
【００４７】
ステップＳ１００８では、前ステップで認証されたユーザ（譲渡元ユーザ）の複合機に登録されているクォータから、譲渡するクォータ量分を削減する。
【００４８】
ステップＳ１００９では、ステップＳ１００７で登録した新規ユーザに譲渡するクォータ量分を登録する。
【００４９】
最後にＳ１０１０において、上記の処理結果をクライアントＰＣに通知して処理を終了する。
【００５０】
例えば、ユーザｔａｎａｋａが、図９のＧＵＩ画面上で、自分のユーザＩＤ：ｔａｎａｋａ、パスワード：＊＊＊＊＊、譲渡するクォータ：２５、新規登録するユーザＩＤ：ｙａｍａｍｏｔｏ、派ウワード：＊＊＊＊＊を入力した場合、図８のユーザ印刷クォータ一覧画面は、図１１のように変化する。
【００５１】
[その他の実施例]
実施例１では、印刷装置がユーザ管理を行う機能を備える場合の例であるが、ユーザ管理を行う機能は、ネットワークに接続された別の端末（サーバ）行っても良い。
【００５２】
実施例１では、複合機がネットワークに対応しており、情報の入出力はクライアントＰＣよりネットワークを介して行われているが、情報の入出力は、複合機本体に備え付けの操作パネル、表示パネルを用いて行われても良い。
【図面の簡単な説明】
【００５３】
【図１】実施例１におけるネットワーク環境を表した構成図である。
【図２】実施例１におけるクライアントＰＣの構成を簡略化したブロック図である。
【図３】実施例１における複合機の構成を簡略化したブロック図である。
【図４】実施例１において、複合機が管理しているユーザ情報を表した表である。
【図５】実施例１において、クライアントＰＣのディスプレイ上に表示されるユーザ印刷クォータ一覧表示画面を表した図である。
【図６】実施例１において、クライアントＰＣのディスプレイ上に表示されるクォータ譲渡情報の入力画面を示す図である。
【図７】実施例１において、クォータ譲渡要求を受信した場合の、複合機の動作を表したフローチャートである。
【図８】実施例１において、クォータ譲渡要求が複合機で処理された後の、クォータ一覧表示画面を表した図である。
【図９】実施例１において、クライアントＰＣのディスプレイ上に表示される新規ユーザ登録画面を表した図である。
【図１０】実施例１において、新規ユーザ登録要求を受信した場合の、複合機の動作をフローチャートで表した図である。
【図１１】実施例１において、新規ユーザ登録要求が複合機で処理された後の、クォータ一覧表示画面を表した図である。
【符号の説明】
【００５４】
Ｃ１０１、Ｃ１０２、Ｃ１０３  クライアントＰＣ
Ｍ１０４  複合機
Ｎ１０５  ネットワーク（ＬＡＮ）
Ｃ２０１  ＣＰＵ
Ｃ２０２  ＲＯＭ
Ｃ２０３  外部メモリ
Ｃ２０４  キーボード
Ｃ２０５  通信部
Ｃ２０６  ＲＡＭ
Ｃ２０７  ＨＤ（ハードディスク）
Ｃ２０８  ディスプレイ
Ｂ２０９  システムバス
Ｃ３０１  ＣＰＵ
Ｃ３０２  ＲＯＭ
Ｃ３０３  ＲＡＭ
Ｃ３０４  ＨＤ
Ｃ３０５  通信部
Ｃ３０６  印刷部
Ｃ３０７  スキャナ部
Ｃ３０８  操作パネル
Ｃ３０９  表示パネル
Ｃ３１０  システムバス
【図１】
2007018056.tif 000003
【図２】
2007018056.tif 000004
【図３】
2007018056.tif 000005
【図４】
2007018056.tif 000006
【図５】
2007018056.tif 000007
【図７】
2007018056.tif 000008
【図１０】
2007018056.tif 000009
【図６】
2007018056.tif 000010
【図８】
2007018056.tif 000011
【図９】
2007018056.tif 000012
【図１１】
2007018056.tif 000013